(57)【特許請求の範囲】
【請求項１】
ディーゼル機関には，当該ディーゼル機関と空冷式のラジエータとの間における冷却水循環経路を備えた冷却装置が設けられていることに加えて，当該ディーゼル機関からの排気ガス経路に配置された排気ガス浄化用のフィルタ手段が設けられており，前記冷却装置には，前記ディーゼル機関と前記ラジエータとの間を循環する冷却水の温度を上昇する状態に切換え作動するように構成した冷却水温切換手段が設けられ，この冷却水温切換手段は，前記フィルタ手段に詰まりが発生したとき，冷却水温の上昇に切換え作動する構成であり、
前記冷却水温切換手段における冷却水温の上昇への切換え作動が，前記ラジエータに対する送風ファンの逆回転であることを特徴とするディーゼル機関における排気ガス浄化装置。
【請求項２】
前記請求項１の記載において，前記冷却水温切換手段は，前記フィルタ手段への排気ガスの温度が，前記フィルタ手段における上限温度以上になっているとき，冷却水温の上昇に切換え作動しないように構成されていることを特徴とするディーゼル機関における排気ガス浄化装置。
【請求項３】
前記請求項１又は２の記載において，前記冷却水温切換手段は，前記冷却水温が，当該冷却水における上限温度以上になっているとき，冷却水温の上昇に切換え作動しないように構成されていることを特徴とするディーゼル機関における排気ガス浄化装置。
【請求項４】
前記請求項１〜３のいずれかの記載において，前記冷却水温切換手段は，前記ディーゼル機関における潤滑油の温度が，当該潤滑油における上限温度以上になっているとき，冷却水温の上昇に切換え作動しないように構成されていることを特徴とするディーゼル機関における排気ガス浄化装置。
【発明の詳細な説明】
【技術分野】
【０００１】
本発明は，例えばトラクタやコンバインを含む走行型の農作業車両のような走行車両にその動力源として搭載される等のディーゼル機関において，その排気ガスを浄化処理するための排気ガス浄化装置に関するものである。
【背景技術】
【０００２】
一般に，走行車両に動力源として搭載される等のディーゼル機関においては，その排気ガスを浄化するために，パティキュレートフィルタ（以下，単にフィルタと称する）を用いて排気ガス中の粒子状物質（以下，単にＰＭと称する）等を捕集することが行われていることは周知のとおりであり，この場合，前記フィルタにて捕集されたＰＭが所定量を超えると，フィルタ内の流通抵抗が増大し，排気抵抗が増大することによって，エンジン出力の低下をもたらすため，フィルタに堆積したＰＭを除去して，フィルタのＰＭ捕集能力を回復させる（フィルタを再生させる）ことが必要である。
【０００３】
このフィルタの再生は，排気ガスの温度が高いときに行なわれる。先行技術としての特許文献１においては，ディーゼル機関からの排気経路のうち前記フィルタよりも上流側（ディーゼル機関側）の部位に電熱式のヒータを設けることにより，このヒータにて排気ガスの温度を上昇させることが開示されている。
【０００４】
また，別の先行技術においては，少量の燃料をコモンレールによって排気系にポスト噴射することによって排気ガスの温度を高くしたり，ディーゼル機関における出力を吸気絞り又は排気絞りにてアップすることによって排気ガスの温度を高くすることが行なわれている。
【先行技術文献】
【特許文献】
【０００５】
【特許文献１】特開２００１−２８０１２１号公報
【発明の概要】
【発明が解決しようとする課題】
【０００６】
しかし，特許文献１の構成では，排気ガスの温度を上昇することのために専用のヒータを必要とするから，部品点数が嵩み，コスト上昇の一因になるという問題があり，しかも，ヒータによる排気ガスの加熱が局部的とならざるを得ず，排気ガスを一様に加熱できないから，排気ガスを均一に浄化できないばかりか，ヒータに近接する酸化触媒付きフィルタの温度も不均一になって，酸化触媒付きフィルタに割れ等の損傷が発生するおそれが高く，その上，前記ヒータに必要とする電力をディーゼル機関にて余分に発電しなければならないから，ディーゼル機関における燃費が低下するという問題があった。
【０００７】
また，コモンレールによるポスト噴射，吸気絞り又は排気絞りによる方法においては，高価な部品を必要とするばかりか，燃料噴射量が多くなるから，燃費の大幅な低下を招来するという問題がある。
【０００８】
本発明は，ディーゼル機関における排気ガスの温度は，このディーゼル機関に対する冷却水の温度に比例して高くなることに着目し，このことを利用して，前記した問題を解消した排気ガス浄化装置を提供することを技術的課題とするものである。
【課題を解決するための手段】
【０００９】
この技術的課題を達成するため請求項１は，
「ディーゼル機関には，当該ディーゼル機関と空冷式のラジエータとの間における冷却水循環経路を備えた冷却装置が設けられていることに加えて，当該ディーゼル機関からの排気ガス経路に配置された排気ガス浄化用のフィルタ手段が設けられており，前記冷却装置には，前記ディーゼル機関と前記ラジエータとの間を循環する冷却水の温度を上昇する状態に切換え作動するように構成した冷却水温切換手段が設けられ，この冷却水温切換手段は，前記フィルタ手段に詰まりが発生したとき，冷却水温の上昇に切換え作動する構成であり、前記冷却水温切換手段における冷却水温の上昇への切換え作動が，前記ラジエータに対する送風ファンの逆回転である。」
ことを特徴としている。
【００１０】
【００１１】
請求項２は，
「前記請求項１の記載において，前記冷却水温切換手段は，前記フィルタ手段への排気ガスの温度が，前記フィルタ手段における上限温度以上になっているとき，冷却水温の上昇に切換え作動しないように構成されている。」
ことを特徴としている。
【００１２】
請求項３は，
「前記請求項１又は２のいずれかの記載において，前記冷却水温切換手段は，前記冷却水温が，当該冷却水における上限温度以上になっているとき，冷却水温の上昇に切換え作動しないように構成されている。」
ことを特徴としている。
【００１３】
請求項４は，
「前記請求項１〜３のいずれかの記載において，前記冷却水温切換手段は，前記ディーゼル機関における潤滑油の温度が，当該潤滑油における上限温度以上になっているとき，冷却水温の上昇に切換え作動しないように構成されている。」
ことを特徴としている。
【発明の効果】
【００１４】
本発明によると，ディーゼル機関からの排気ガスに対するフィルタ手段に詰まりが発生すると，前記ディーゼル機関と空冷式のラジエータとの間を循環する冷却水の温度，つまり冷却水温が，冷却水温切換手段における冷却水温の上昇への切換え作動にて上昇されることにより，前記ディーゼル機関の温度が上昇し，これに伴い排気ガスの温度が高くなるから，前記フィルタ手段の再生を実行することができるか，或いは前記フィルタ手段の再生を促進することができる。
【００１５】
この場合，排気ガスの温度上昇を，冷却水温の上昇にて行なうことにより，前記した各種の先行技術の方法よりも簡単で安価な構成にすることができるとともに，フィルタ手段の再生のためにディーゼル機関の出力アップを低減できるから，その燃費を前記各種の先行技術の場合よりも大幅に向上できる。
【００１６】
そして，前記ディーゼル機関と空冷式のラジエータとの間を循環する冷却水温を上昇することは，前記ラジエータに対する送風ファンを逆回転するように構成するか，又は前記送風ファンを回転停止するように構成するか，或いは前記送風ファンを減速回転するように構成することによって，簡単な構成にして確実に実現できるほか，前記ディーゼル機関と前記ラジエータとの間における冷却水の循環水量を，流量制御弁にて減少するように構成することによっても，簡単な構成にして確実に実現できる。
【００１７】
次に，本発明によると，前記ディーゼル機関における冷却水温を，前記フィルタ手段における上限温度を越えないように規制することができることにより，前記フィルタ手段に，溶損，劣化及び亀裂が発生することを防止できるから，前記フィルタ手段における性能及び耐久性を確実に確保できる。
【００１８】
また，本発明によると，前記ディーゼル機関における冷却水温を，当該冷却水温における上限温度を越えないように規制することができることにより，前記フィルタ手段の再生の際に，冷却水温が高くなり過ぎることに起因して，ディーゼル機関における各種の作動部分に焼き付きが発生したり，冷却水の循環経路に熱で破裂するとか水漏れが発生したりするというように，冷却水温の過上昇で各種の不具合が発生することを確実に回避できる。
【００１９】
更にまた，本発明によると，前記ディーゼル機関における冷却水温を，ディーゼル機関における潤滑油の上限温度を越えないように規制することができることにより，前記フィルタ手段の再生の際に，潤滑油温が高くなり過ぎることに起因して，ディーゼル機関における各種の作動部分に焼き付きが発生したり，潤滑油における劣化が促進されたり，潤滑油の漏れが発生したりするというように，潤滑油温の過上昇で各種の不具合が発生することを確実に回避できる。
【図面の簡単な説明】
【００２０】
【図１】第１の実施の形態を示す図である。
【図２】第１の実施の形態におけるフローチャートである。
【図３】第２の実施の形態を示す図である。
【図４】第２の実施の形態におけるフローチャートである。
【図５】第３の実施の形態を示す図である。
【図６】第３の実施の形態におけるフローチャートである。
【発明を実施するための形態】
【００２１】
以下に，本発明における実施の形態を，図１〜図６の図面について説明する。
【００２２】
これらの図のうち，図１及び図２は，第１の実施の形態を示す。
【００２３】
この図において，符号１は，複数の気筒を備えたディーゼル機関を示し，このディーゼル機関１は，例えばトラクタやコンバインを含む走行型の農作業車両のような走行車両等にその動力源として搭載されている。
【００２４】
このディーゼル機関１は，図示していないが，従来から良く知られているように，シリンダブロックと，その上面におけるシリンダヘッドと，前記シリンダブロックの下面におけるオイルパンを備えており，前記オイルパン内に溜まる潤滑油は，ディーゼル機関１にて回転駆動されるオイルポンプにてピストン及びカム軸等の各種の作動部分に供給されてこれらを潤滑したのち，再び前記オイルパン内に戻るように構成されている。
【００２５】
しかも，前記ディーゼル機関１は，空冷式のラジエータ２を使用した水冷式である。
【００２６】
すなわち，このディーゼル機関１におけるシリンダブロック及びシリンダヘッドの各々には，互いに連通する構成の冷却水ジャケットが設けられており，前記シリンダブロックにおける冷却水ジャケットの入口には，前記ラジエータ２におけるロアタンク２ａが，ディーゼル機関１にて回転駆動される冷却水ポンプ３を備えた冷却水戻り管路４を介して接続されている一方，前記シリンダヘッドにおける冷却水ジャケットの出口には，前記ラジエータ２におけるアッパータンク２ｂが，冷却水供給管路５を介して接続されており，これにより，前記ディーゼル機関１と前記ラジエータ２との間を冷却水が循環することにより，前記ディーゼル機関１を冷却するように構成している。
【００２７】
前記ラジエータ２には，正逆回転式の電動モータ６等にて回転駆動される送風ファン７と，この送風ファン７の外側を囲うファンシュラウド８が設けられており，前記送風ファン７は，通常においては，電動モータ６における実線矢印で示す方向への正回転により，大気空気を，実線の矢印Ａで示すように，先ず前記ラジエータ２に吹き当て，このラジエータ２を通過させたのちディーゼル機関１に向かうように送風しているが，前記電動モータ６における点線矢印で示す方向への逆回転により，前記ディーゼル機関１の周囲において暖められた空気を，点線の矢印Ｂで示すように，前記ラジエータ２に吹き当て，これを通過したのち大気に向かうように送風するという構成になっている。
【００２８】
なお，前記送風ファン７は，前記ディーゼル機関１からの動力伝達にて回転駆動するように構成しても良いが，この場合には，前記ディーゼル機関１から前記送風ファン７への動力伝達機構に，逆回転への切換え機構を設けて，この切換え機構にて，前記送風ファン７を逆回転するという構成にする。
【００２９】
前記ディーゼル機関１における一方の側面には，吸気マニホールド９が接続され，この吸気マニホールド９には，大気空気の取り入れ用のエアクリーナ（図示せず）からの吸気管路１０が接続されている。
【００３０】
また，前記ディーゼル機関１における他方の側面には，排気マニホールド１１が接続され，この排気マニホールド１１には，大気への排気管１２が接続され，この排気管１２は，フィルタ手段の一例であるパティキュレートフィルタ１３（以下，単にフィルタ手段と称する）が接続されている。
【００３１】
前記ディーゼル機関１における膨張行程後の排気行程において各気筒から排気マニホールド１１に排出された排気ガスは，排気管１２及び前記フィルタ手段１３を経由して浄化処理をされてから外部に放出される。
【００３２】
前記フィルタ手段１３は，排気ガス中の粒子状物質（以下，ＰＭという）等を捕集するためのものであり，耐熱金属材料製のケーシング１４内にある略筒型のフィルタケース１５に，例えば白金等の酸化触媒１６とフィルタ本体１７とを直列に並べて収容してなるものである。
【００３３】
前記フィルタ本体１７は，多孔質な（ろ過可能な）隔壁にて区画された多数のセルを有するハニカム構造になっている。
【００３４】
前記ケーシング１４の一端部の側面には，排気管１２に連通する排気導入口１８が設けられている。前記ケーシング１４の一端部は第１底板１９にて塞がれており，フィルタケース１５のうち第１底板１９に臨む一端部は第２底板２０にて塞がれている。ケーシング１４とフィルタケース１５との間の環状隙間，並びに両底板１９，２０間の隙間には，ガラスウールのような断熱材２１が酸化触媒１６及びフィルタ本体１７の周囲を囲うように充填されている。
【００３５】
前記ケーシング１４の他側部は２枚の蓋板２２，２３にて塞がれていて，これら両蓋板２２，２３を略筒型の排気排出口２４が貫通している。また，両蓋板２２，２３の間は，フィルタケース１５内に複数の連通管２５を介して連通する共鳴室２６になっている。
【００３６】
前記ケーシング１４の一端部における側面に形成された排気導入口１８には排気ガス導入管２７が挿入されている。この排気ガス導入管２７の先端は，ケーシング１４を横断して排気導入口１８と反対側の側面に突出している。排気ガス導入管２７の外周面には，フィルタケース１５に向けて開口する複数の連通穴２８が形成されている。排気ガス導入管２７のうち排気導入口１８と反対側の側面に突出する部分は，これに着脱可能に螺着された蓋体２９にて塞がれている。
【００３７】
前記蓋体２９には，フィルタ本体１７の詰まり状態を検出する詰まり検出手段の一例として，圧力センサ３０が設けられている。この圧力センサ３０は，例えばピエゾ抵抗効果を利用した周知構造のものでよい。この場合は，フィルタ本体１７にＰＭが堆積していないとき（フィルタ本体１７が新品のとき）におけるフィルタ本体１７上流側の圧力（Ｐｓ）（基準圧力値）を，後述するコントローラ３１のＲＯＭ等に予め記憶させておき，同じ測定箇所における現在の圧力（Ｐ）を圧力センサ３０にて検出し，基準圧力値（Ｐｓ）と圧力センサ３０の検出値（Ｐ）との圧力差（ΔＰ）を求め，当該圧力差（ΔＰ）に基づいてフィルタ本体１７のＰＭ堆積量が換算（推定）される。
【００３８】
なお，ディーゼル機関１の排気経路のうちフィルタ手段１３を挟んで上下流側に，それぞれ圧力センサを配置し，両者の検出値の差からフィルタ本体１７のＰＭ堆積量を換算（推定）するようにしてもよい。
【００３９】
一方，前記フィルタ手段１３への排気導入口１８には，排気ガスの温度を検出するための排気ガス温センサ３２が設けられ，この排気ガス温センサ３２にて検出した排気ガス温度（Ｔ）は，前記コントローラ３１に入力される。
【００４０】
この構成において，ディーゼル機関１からの排気ガスは，排気導入口１８を介して排気ガス導入管２７に入って，排気ガス導入管２７に形成された各連通穴２８からフィルタケース１５内に噴出し，フィルタケース１５内の広い領域に分散したのち，酸化触媒１６からフィルタ本体１７の順に通過して浄化処理される。排気ガス中のＰＭは，この段階でフィルタ本体１７における各セル間の多孔質な仕切り壁を通り抜けできずに捕集される。その後，酸化触媒１６及びフィルタ本体１７を通過した排気ガスが排気排出口２４から放出される。
【００４１】
前記排気ガスが酸化触媒１６及びフィルタ本体１７を通過するに際して，排気ガス温度が再生可能温度（例えば約３００℃）を超えていれば，酸化触媒１６の作用にて，排気ガス中のＮＯ（一酸化窒素）が不安定なＮＯ2 （二酸化窒素）に酸化する。そして，ＮＯ2 がＮＯに戻る際に放出するＯ（酸素）にて，フィルタ本体１７に堆積したＰＭが酸化除去されることにより，フィルタ本体１７のＰＭ捕集能力が回復する（フィルタ本体１７が再生する）ことになる。
【００４２】
また，前記ディーゼル機関１には，冷却水の温度，つまり冷却水温（Ｒ）を検出する水温センサ３３と，潤滑油の温度，つまり，潤滑油温（Ｓ）を検出する油温センサ３４とが設けられており，これら水温センサ３３にて検出した冷却水温（Ｒ），及び油温センサ３４にて検出した潤滑油温（Ｓ）の各々は，前記コントローラ３１に入力される。
【００４３】
前記コントローラ３１におけるＲＯＭ等には，前記フィルタ本体１７における温度上昇に起因して，当該フィルタ本体１７に溶損，劣化及び亀裂が発生するような状態になるときの温度を，前記フィルタ本体１７における「上限温度（Ｔｘ）」として予め記憶しているほか，前記冷却水温（Ｒ）の上昇に起因して，前記ディーゼル機関１における各種の作動部分に焼き付きが発生したり，冷却水の循環経路に熱で破裂するとか水漏れが発生したりする状態になるときの温度を，前記冷却水温における「上限温度（Ｒｘ）」として予め記憶している。
【００４４】
これに加えて，前記コントローラ３１におけるＲＯＭ等には，前記潤滑油温の上昇に起因して，ディーゼル機関１における各種の作動部分に焼き付きが発生したり，潤滑油における劣化が促進されたり，潤滑油の漏れが発生したりする状態になるときの温度を，前記潤滑油温における「上限温度（Ｓｘ）」として予め記憶している。
【００４５】
そして，前記コントローラ３１は，前記圧力センサ３０，前記排気ガス温センサ３２，前記水温センサ３３及び前記油温センサ３４による検出値に基づいて，前記送風ファン７を，図２のフローチャートに示すように制御する。
【００４６】
先ず，スタートに続くステップＳ１において，前記基準圧力値（Ｐｓ）と圧力センサ３０の検出値（Ｐ）とを読み込み，ステップＳ２で，フィルタ本体１７にＰＭが堆積しているか否かを判別し，堆積していないと判別されたとき（ＮＯ）には，そのままリターンするが，ＰＭが堆積していると判別されたとき（ＹＥＳ）には，ステップＳ３に移行する。
【００４７】
このステップＳ３において，前記フィルタ本体１７の入口における排気ガス温度（Ｔ），冷却水温（Ｒ）及び潤滑油温（Ｓ）の各々を読み込む。
【００４８】
次いで，ステップＳ４において，前記排気ガス温度（Ｔ）がその上限温度（Ｔｘ）に比較され，（ＹＥＳ）とき，つまり，排気ガス温度（Ｔ）がその上限温度（Ｔｘ）を超えていないときには，次のステップＳ５に移行する。
【００４９】
このステップＳ５において，前記冷却水温（Ｒ）がその上限温度（Ｒｘ）に比較され，（ＹＥＳ）と判別されたとき，つまり，冷却水温（Ｒ）がその上限温度（Ｒｘ）を超えていないときには，次のステップＳ６に移行する。
【００５０】
このステップＳ６において，前記潤滑油温（Ｓ）がその上限温度（Ｓｘ）に比較され，（ＹＥＳ）と判別されたとき，つまり，潤滑油温（Ｓ）がその上限温度（Ｓｘ）を超えていないときには，次のステップＳ７に移行する。
【００５１】
そして，このステップＳ７において，前記ラジエータ２に対する送風ファン７が，正回転の状態から逆回転の状態に切り換えられる。
【００５２】
この送風ファン７の逆回転により，前記ラジエータ２には，図１に点線矢印Ｂで示すように，前記ディーゼル機関１の周囲で暖められた空気が送風されることになって，その冷却性能が，前記送風ファン７が正回転している場合より低下する。
【００５３】
これにより，前記ラジエータ２と前記ディーゼル機関１との間を循環する冷却水の温度，つまり，冷却水温が上昇し，ひいては，ディーゼル機関１の温度が上昇し，排気ガスの温度が高くなるから，前記フィルタ本体１７の再生が開始されるか，或いは，前記フィルタ本体１７の再生が促進される。
【００５４】
次いで，ステップＳ８において，前記した再生の状態を，適宜時間を経過するまで保持し，この適宜時間を経過すると，ステップＳ９に移行して，ここで，前記ステップＳ１と同様に，前記基準圧力値Ｐｓと圧力センサ６８の検出値Ｐとを読み込んだのち，ステップＳ１０に移行し，このステップＳ１０において，フィルタ本体１７にＰＭが堆積しているか否かを判別する。
【００５５】
前記ステップＳ１０において，フィルタ本体１７にＰＭが堆積していると判別されたとき（ＹＥＳ）には，前記ステップＳ３の前に戻して，前記したことを繰り返すが，フィルタ本体１７にＰＭが堆積していないと判別されとき，つまり，前記フィルタ本体１７の再生を完了したときには，ステップＳ１１に移行して，前記ラジエータ２に対する送風ファン７を，逆回転の状態から通常の正回転に戻す。
【００５６】
一方，前記ステップＳ４，ステップＳ５及びステップＳ６において（ＮＯ）のとき，つまり，前記排気ガス温度（Ｔ）がその上限温度（Ｔｘ）を超えているとき，前記冷却水温（Ｒ）がその上限温度（Ｒｘ）を超えているとき，及び，前記潤滑油温（Ｓ）がその上限温度（Ｓｘ）を超えているときには，前記ステップＳ１１に移行して，前記ラジエータ２に対する送風ファン７を，逆回転の状態から元の（通常の）正回転に戻すか，或いはリターンする。
【００５７】
このような制御により，ディーゼル機関１からの排気ガスに対するフィルタ本体１７に詰まりが発生すると，前記ラジエータ２に対する送風ファン７が逆回転して，前記ラジエータ２における冷却性能が低下し，前記ディーゼル機関１とラジエータ２との間を循環する冷却水の温度が上昇し，ひいては，前記ディーゼル機関１の温度が上昇し，これに伴い排気ガスの温度が高くなることにより，前記フィルタ本体１７の再生を実行できるか，前記フィルタ手段の再生を促進できる。
【００５８】
この場合，前記フィルタ本体１７の入口における排気ガスの温度がフィルタ本体１７における上限温度を越えたとき，又は，ディーゼル機関１とラジエータ２との間を循環する冷却水温がその上限温度を越えたとき，或いは，ディーゼル機関１における潤滑油温がその上限温度を越えたときには，前記送風ファン７の逆回転による冷却水温の上昇は行なわれないように制御することができる。
【００５９】
次に，図３及び図４は，第２の実施の形態を示す。
【００６０】
この第２の実施の形態は，前記ラジエータ２に対する送風ファン７を，前記第１の実施の形態のように正逆回転することに代えて，前記コントローラ３１にて，回転停止にするか，或いは，減速回転するように構成したものであり，その他は，前記第１の実施の形態と同様である。
【００６１】
すなわち，図４に示すフローチャートのうち，ステップＳ６に続くステップＳ７′において，前記送風ファン７を，回転停止に切換え作動するか，或いは，減速回転に切換え作動する一方，ステップＳ１１′において，前記送風ファン７の回転停止又は減速回転を元の（通常の）回転に戻すか，或いはリターンするようにしている。
【００６２】
これにより，ディーゼル機関１からの排気ガスに対するフィルタ本体１７に詰まりが発生すると，前記ラジエータ２に対する送風ファン７が回転停止するか，減速回転して，前記ラジエータ２における冷却性能が低下し，前記ディーゼル機関１とラジエータ２との間を循環する冷却水の温度が上昇し，ひいては，前記ディーゼル機関１の温度が上昇し，これに伴い排気ガスの温度が高くなることにより，前記フィルタ本体１７の再生を実行できるか，前記フィルタ手段の再生を促進できる。
【００６３】
また，前記フィルタ本体１７の入口における排気ガスの温度がフィルタ本体１７における上限温度を越えたとき，又は，ディーゼル機関１とラジエータ２との間を循環する冷却水温がその上限温度を越えたとき，或いは，ディーゼル機関１における潤滑油温がその上限温度を越えたときには，前記送風ファン７の回転停止又は減速回転による冷却水温の上昇は行なうことがないように制御できる。
【００６４】
なお，この第２の実施の形態においても，前記送風ファン７を，前記ディーゼル機関１からの動力伝達にて回転駆動するように構成しても良いが，この場合には，前記ディーゼル機関１から前記送風ファン７への動力伝達機構に，動力伝達を断続するクラッチ機構を設けるか，減速回転機構を設けることによって，前記送風ファン７を回転停止にするか，或いは減速回転にするという構成にする。
【００６５】
そして，図５及び図６は，第３の実施の形態を示す。
【００６６】
この第３の実施の形態は，前記ラジエータ２に対する送風ファン７を逆回転，回転停止又は減速回転することに代えて，前記ディーゼル機関１と前記ラジエータ２との間を接続する冷却水戻り管路４又は冷却水供給管路５の途中に，流量制御弁３５を設け，この流量制御弁３５を，前記コントローラ３１にて開閉作動するように構成したものであり，その他は，前記第１の実施の形態と同様である。
【００６７】
すなわち，図６に示すフローチャートのうち，ステップＳ６に続くステップＳ７″において，前記流量制御弁３５を，一定の開度まで閉じるように切換え作動する一方，ステップＳ１１″において，前記流量制御弁３５の開度を，元の（通常の）開度に開くようにするか，或いはリターンするようにしている。
【００６８】
これにより，ディーゼル機関１からの排気ガスに対するフィルタ本体１７に詰まりが発生すると，前記流量制御弁３５が一定の開度まで閉じ，前記ディーゼル機関１とラジエータ２との間を循環する冷却水の循環量が減少して，当該冷却水の温度，つまり，冷却水温が上昇し，ひいては，前記ディーゼル機関１の温度が上昇し，これに伴い排気ガスの温度が高くなることにより，前記フィルタ本体１７の再生を実行できるか，前記フィルタ手段の再生を促進できる。
【００６９】
また，前記フィルタ本体１７の入口における排気ガスの温度がフィルタ本体１７における上限温度を越えたとき，又は，ディーゼル機関１とラジエータ２との間を循環する冷却水温がその上限温度を越えたとき，或いは，ディーゼル機関１における潤滑油温がその上限温度を越えたときには，前記流量制御弁３５の閉作動による冷却水温の上昇は行なうことがないように制御できる。
【００７０】
なお，特許請求の範囲のうち「ディーゼル機関とラジエータとの間を循環する冷却水の温度を上昇する状態に切換え作動する冷却水温切換手段」としては，前記した各実施の形態のように，ラジエータに対する送風ファン７の逆回転，回転停止又は減速回転に構成するか，或いは，前記冷却水循環経路中に設けた流量制御弁による循環水量の減少に構成することに限らず，これ以外の構成を採用することができる。
【符号の説明】
【００７１】
１            ディーゼル機関
２            ラジエータ
３            冷却水ポンプ
４            冷却水戻り管路
５            冷却水供給管路
６            電動モータ
７            送風ファン
９            吸気マニホールド
１１          排気マニホールド
１２          排気管
１３          パティキュレートフィルタ（フィルタ手段）
１７          フィルタ本体
３０          圧力センサ（詰まり検出手段）
３１          コントローラ
３２          排気ガス温度センサ
３３          水温センサ
３４          油温センサ
３５          流量制御弁
【図１】
0005595687.tif 000002
【図２】
0005595687.tif 000003
【図３】
0005595687.tif 000004
【図４】
0005595687.tif 000005
【図５】
0005595687.tif 000006
【図６】
0005595687.tif 000007